【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
それぞれが単焦点光学系として構成され、被写体の光学像を形成する複数の結像光学系のそれぞれの焦点距離を表す第１の焦点距離情報と、前記第１の焦点距離情報を除いた焦点距離範囲を表す第２の焦点距離情報と、を表示する表示手段を有し、
前記表示手段は、前記第１の焦点距離情報を前記第２の焦点距離情報とは異なる方法で表示することを特徴とする撮像装置。
【請求項２】
前記表示手段は、前記第１の焦点距離情報を前記第２の焦点距離情報に対して強調して表示することを特徴とする請求項１に記載の撮像装置。
【請求項３】
前記第２の焦点距離情報は、前記複数の結像光学系のうちの２つの隣接する結像光学系の間の第１の焦点距離範囲と、前記撮像装置の焦点距離範囲の端部に位置する第２の焦点距離範囲と、を含み、
前記表示手段は、前記第１の焦点距離範囲を前記第２の焦点距離範囲とは異なる方法で表示することを特徴とする請求項１または２に記載の撮像装置。
【請求項４】
前記表示手段は、前記第１の焦点距離範囲を前記第２の焦点距離範囲に対して強調して表示することを特徴とする請求項３に記載の撮像装置。
【請求項５】
前記表示手段によって表示された前記第１の焦点距離情報と前記第２の焦点距離情報のなかで少なくとも一つの焦点距離を選択する選択手段と、
前記表示手段は、前記選択手段によって選択された前記少なくとも一つの焦点距離に対応するプレビュー画像を表示することを特徴とする請求項１乃至４のうちいずれか１項に記載の撮像装置。
【請求項６】
前記選択手段によって、前記第２の焦点距離情報において前記複数の結像光学系のうちの２つの隣接する結像光学系の間の焦点距離範囲に含まれる特定の焦点距離が選択された場合、前記２つの隣接する結像光学系のうちで焦点距離が短い結像光学系を通じて得られる画像をトリミングおよび拡大することによって前記プレビュー画像を生成する画像処理手段を更に有することを特徴とする請求項５に記載の撮像装置。
【請求項７】
前記表示手段によって表示された前記第１の焦点距離情報と前記第２の焦点距離情報のなかで複数の焦点距離を選択する選択手段と、
撮影準備を指示する撮影準備指示手段と、
前記選択手段によって選択された前記複数の焦点距離に対応する前記複数の結像光学系のそれぞれについて焦点検出と測光を行わせる制御手段と、
を更に有することを特徴とする請求項１乃至６のうちいずれか１項に記載の撮像装置。
【請求項８】
前記複数の結像光学系の対応する結像光学系が形成した前記光学像を光電変換する複数の撮像素子と、
前記表示手段によって表示された前記第１の焦点距離情報と前記第２の焦点距離情報のなかで複数の焦点距離を選択する選択手段と、
撮影を指示する撮影指示手段と、
前記選択手段によって選択された前記複数の焦点距離に対応する前記複数の撮像素子に撮影を行わせる制御手段と、
を更に有することを特徴とする請求項１乃至７のうちいずれか１項に記載の撮像装置。
【請求項９】
前記表示手段によって表示された前記第１の焦点距離情報と前記第２の焦点距離情報のなかで少なくとも一つの焦点距離を選択する選択手段と、
前記選択手段によって、前記第２の焦点距離情報において前記複数の結像光学系のうちの２つの隣接する結像光学系の間の焦点距離範囲に含まれる特定の焦点距離が選択された場合、前記２つの隣接する結像光学系を通じて得られる２つの画像に基づいて前記特定の焦点距離に対応する画像を生成する画像処理手段と、
を更に有することを特徴とする請求項１乃至８のうちいずれか１項に記載の撮像装置。
【請求項１０】
それぞれが単焦点光学系として構成され、被写体の光学像を形成する複数の結像光学系のそれぞれの画角を表す第１の画角情報と、前記第１の画角情報を除いた画角範囲を表す第２の画角情報と、を表示する表示手段を有し、
前記表示手段は、前記第１の画角情報を前記第２の画角情報とは異なる方法で表示することを特徴とする撮像装置。
【請求項１１】
前記表示手段は、前記第１の画角情報を前記第２の画角情報よりも強調して表示することを特徴とする請求項１０に記載の撮像装置。
【請求項１２】
前記第２の画角情報は、前記複数の結像光学系のうちの２つの隣接する結像光学系の間の第１の画角範囲と、前記撮像装置の画角範囲の端部に位置する第２の画角範囲と、を含み、
前記表示手段は、前記第１の画角範囲を前記第２の画角範囲とは異なる方法で表示することを特徴とする請求項１０または１１に記載の撮像装置。
【請求項１３】
前記表示手段は、前記第１の画角範囲を前記第２の画角範囲に対して強調して表示することを特徴とする請求項１２に記載の撮像装置。
【請求項１４】
前記表示手段によって表示された前記第１の画角情報と前記第２の画角情報のなかで少なくとも一つの画角を選択する選択手段と、
前記表示手段は、前記選択手段によって選択された前記少なくとも一つの画角に対応するプレビュー画像を表示することを特徴とする請求項１０乃至１３のうちいずれか１項に記載の撮像装置。
【請求項１５】
前記選択手段によって、前記第２の画角情報において前記複数の結像光学系のうちの２つの隣接する結像光学系の間の画角範囲に含まれる特定の画角が選択された場合、前記２つの隣接する結像光学系のうちで焦点距離が短い結像光学系を通じて得られる画像をトリミングおよび拡大することによって前記プレビュー画像を生成する画像処理手段を更に有することを特徴とする請求項１４に記載の撮像装置。
【請求項１６】
前記表示手段によって表示された前記第１の画角情報と前記第２の画角情報のなかで複数の画角を選択する選択手段と、
撮影準備を指示する撮影準備指示手段と、 
前記選択手段によって選択された前記複数の画角に対応する前記複数の結像光学系のそれぞれについて焦点検出と測光を行わせる制御手段と、
を更に有することを特徴とする請求項１０乃至１５のうちいずれか１項に記載の撮像装置。 
【請求項１７】
前記複数の結像光学系の対応する結像光学系が形成した前記光学像を光電変換する複数の撮像素子と、
前記表示手段によって表示された前記第１の画角情報と前記第２の画角情報のなかで複数の画角を選択する選択手段と、
撮影を指示する撮影指示手段と、
前記選択手段によって選択された前記複数の画角に対応する前記複数の撮像素子に撮影を行わせる制御手段と、
を更に有することを特徴とする請求項１０乃至１６のうちいずれか１項に記載の撮像装置。
【請求項１８】
前記表示手段によって表示された前記第１の画角情報と前記第２の画角情報のなかで少なくとも一つの画角を選択する選択手段と、
前記選択手段が、前記第２の画角情報において前記複数の結像光学系のうちの２つの隣接する結像光学系の間の画角範囲に含まれる特定の画角を選択した場合、前記２つの隣接する結像光学系を通じて得られる２つの画像に基づいて前記特定の画角に対応する画像を生成する画像処理手段を更に有することを特徴とする請求項１０乃至１９のうちいずれか１項に記載の撮像装置。
【請求項１９】
前記複数の結像光学系を更に有することを特徴とする請求項１乃至１８のうちいずれか１項に記載の撮像装置。
【請求項２０】
前記複数の結像光学系はそれぞれ異なる焦点距離を有することを特徴とする請求項１乃至１９のうちいずれか１項に記載の撮像装置。
【請求項２１】
前記画像処理手段は、デジタルズーム処理または超解像処理によって、前記特定の焦点距離または前記特定の画角に対応する画像を生成することを特徴とする請求項９または１８に記載の撮像装置。